(57)【特許請求の範囲】
【請求項１】
ＲＪ４５規格に準拠したネットワークインターフェースコネクタであって、
ジャックハウジングと、
リジッドプリント基板（ＰＣＢ）と、
前記ジャックハウジング内に配置され、プラグコンタクト係合部とＰＣＢ取付部をそれぞれ有する複数の細長コンタクトを備えたジャックコンタクトアセンブリであって、前記プラグコンタクト係合部と前記ＰＣＢ取付部との間に信号経路を画定すると共に前記複数の細長コンタクトの前記プラグコンタクト係合部がそれぞれ互いに対して実質的に同一平面上にあるように各細長コンタクトが構成された、ジャックコンタクトアセンブリと、
前記複数の細長コンタクトのそれぞれにそれぞれのＦＣＢ取付部を介して結合され且つ前記画定された信号経路から位置ずれした１つ又は複数のフレキシブル回路基板（ＦＣＢ）と、を備え、
前記１つ又は複数のＦＣＢは、少なくとも第１及び第２の銅層をそれぞれの反対面に有し前記画定された信号経路より位置ずれしたフレキシブル基板を含み、前記第１及び第２の銅層の双方を見た時の前記第１及び第２の銅層にそれぞれ関連する第１及び第２の銅板の重複部分に前記第１及び第２の銅層における位置３又は位置６が共通に接続されるように、前記第１及び第２の銅層が形成されて、係合したそれぞれのコンタクト間の制御されたキャパシタンスの補償を提供するように構成され、前記制御されたキャパシタンスの値が、制御された誘電率、前記フレキシブル基板の厚さ及び前記第１及び第２の銅板の重複部分の面積に基づき、前記１つ又は複数のＦＣＢの前記制御されたキャパシタンスが、前記ジャックコンタクトアセンブリに結合された隣接するプラグコンタクト間の常駐キャパシタンスを効果的にキャンセルする
ネットワークインターフェースコネクタ。
【請求項２】
前記細長コンタクトはそれぞれ、前記プラグコンタクト係合部及び前記ＰＣＢ取付部にそれぞれ対応する第１及び第２の対向端部を有し、前記ＦＣＢ取付部は、前記細長コンタクトの中間部から延びる相互接続ブランチをさらに含む、請求項１に記載のネットワークインターフェースコネクタ。
【請求項３】
前記関連するＦＣＢ取付部を含む各細長コンタクトは、単一のベース材料から一体的に形成される、請求項２に記載のネットワークインターフェースコネクタ。
【請求項４】
前記１つ又は複数の細長コンタクトのＦＣＢ取付部が、前記細長コンタクトの中間部の中央領域からせん断され、外側に延びてそれぞれの相互接続ブランチを形成する、請求項３に記載のネットワークインターフェースコネクタ。
【請求項５】
前記細長コンタクトのそれぞれは、前記ＰＣＢ取付部及び前記ＦＣＢ取付部にそれぞれ対応する第１及び第２の対向端部を有し、前記プラグコンタクト係合部は、前記細長コンタクトの中間部をさらに含む、請求項１に記載のネットワークインターフェースコネクタ。
【請求項６】
前記複数の細長コンタクトは、第１及び第２の外側コンタクト及び複数の内側コンタクトを備え、前記第１及び第２の外側コンタクトは、前記複数の内側コンタクトより長く、それぞれの相手プラグコンタクトとの係合を開始しさらに該相手プラグコンタクトを前記内側コンタクトと係合するように案内するように構成される、請求項５に記載のネットワークインターフェースコネクタ。
【請求項７】
前記細長コンタクトはそれぞれ、第１及び第２の部材を含み、前記第１及び第２の部材の各々は、前記ＰＣＢ取付部としての隣接する第１の端部を有し、前記第１の部材は、前記第２の部材から旋回し且つＦＣＢ取付部を画定する第２の端部を有し、前記第２の部材は前記第１の部材よりも長く前記プラグコンタクト係合部を画定する、請求項１に記載のネットワークインターフェースコネクタ。
【請求項８】
前記細長コンタクトのそれぞれは、前記プラグコンタクト係合部及び前記ＰＣＢ取付部にそれぞれ対応する第１及び第２の対向端部を有し、前記ＦＣＢ取付部は、前記細長コンタクトの中間部をさらに含む、請求項１に記載のネットワークインターフェースコネクタ。
【請求項９】
各前記ＦＣＢの可撓性基板は、それぞれの細長コンタクトのＦＣＢ取付部に連結され中心軸の周りに弓形構成に曲げられ、該中心軸の対向面に適用される第１及び第２の銅層をさらに含む、請求項８に記載のネットワークインターフェースコネクタ。
【請求項１０】
前記第１の銅板は、前記第２の銅板に対して小さく且つ前記第１及び第２の銅層の双方を見て前記第２の銅板の輪郭内にある、請求項１に記載のネットワークインターフェースコネクタ。
【請求項１１】
さらに、前記細長コンタクトのそれぞれを中に受け入れる少なくとも１つのコンタクトアライメント部材を備える、請求項１に記載のネットワークインターフェースコネクタ。
【請求項１２】
前記少なくとも１つのコンタクトアライメント部材が、前記細長コンタクト上にモールドされ且つ絶縁材料で形成される、請求項１１に記載のネットワークインターフェースコネクタ。
【請求項１３】
前記細長コンタクトのそれぞれは、前記プラグコンタクトと信号出力部との間で前記少なくとも１つのコンタクトアライメント部材に結合される、請求項１１に記載のネットワークインターフェースコネクタ。
【請求項１４】
前記ジャックハウジングの内壁と前記少なくとも１つのコンタクトアライメント部材との間に取付られた電気的に絶縁された圧縮バネをさらに備え、前記ジャックコンタクトアセンブリに垂直力を加えるように構成される、請求項１１に記載のネットワークインターフェースコネクタ。
【請求項１５】
前記細長コンタクトの第１のセットの前記ＰＣＢ取付部が第１の同一平面アレイに保持され、前記細長コンタクトの第２のセットのＰＣＢ取付部が前記第１の同一平面アレイに平行な第２の同一平面アレイに保持される、請求項１に記載のネットワークインターフェースコネクタ。
【請求項１６】
前記細長コンタクトを取り囲み且つ前記細長コンタクトを受け入れるように構成された埋込保護スロットを有する絶縁コンタクトガイドフレーム、及び前記コンタクトガイドフレームから延びるリブをさらに備え、挿入プロセス中にプラグコンタクトと係合して案内する、請求項１に記載のネットワークインターフェースコネクタ。
【請求項１７】
前記ジャックハウジングをカプセル化するジャックシールドをさらに備え、前記ジャックコンタクトアセンブリと係合するときに前記リジッドＰＣＢとプラグコネクタとの間に電気接地経路をさらに提供する、請求項１に記載のネットワークインターフェースコネクタ。
【請求項１８】
前記各コンタクトの前記ＦＣＢ取付部分は、各コンタクト間の前記制御されたキャパシタンスの補償がジャックプラグインターフェースのすぐ近くで提供されるように構成される、請求項１に記載のネットワークインターフェースコネクタ。
【発明の詳細な説明】
【技術分野】
【０００１】
本発明は、一般に、モジュラーコネクタに関する。より詳細には、本発明は、非常に高速なアプリケーション用のモジュラジャック設計に関し、時にはＭＵＬＴＩＧＢＡＳＥ-ｔプロトコルと呼ばれる１０、２５、４０ギガビットイーサネット（登録商標）プロトコルをサポートする。
【背景技術】
【０００２】
データ伝送のために、一般的に、モジュラージャック及びプラグを使用する。ジャックは、電気ケーブルの端に取り付けられたプラグを受ける。ジャックは、オフィスのデータセンターやコンピュータのスイッチやルータなどの電子機器に搭載され電子機器の不可欠な部分である。ケーブルはプラグによって終端され、電子機器はプラグに対応するジャックを必須に有する。プラグとジャックは、機械的結合と電気的結合の両方を提供するように結合できるように設計される。構内配線システムでは、ジャックをフリーハンギングコネクタとしてケーブルに接続することもできる。
【０００３】
電気ケーブルは複数の導体又はワイヤを有する。イーサネット（登録商標）接続の場合、通常８本のワイヤが使用される。１-２、３-６、４-５、７-８のような指定されたコンタクトペアを使用して、各対になったペア内の電磁信号は、機器側からケーブル側に又はその逆に移動しする。プラグとジャックの機械的寸法とそのインターフェースは国際規格に準拠する。イーサネット（登録商標）信号伝送に使用されるコネクタの場合、統治基準はＩｎｔｅｒｎａｔｉｏｎａｌ Ｅｌｅｃｔｒｏｔｅｃｈｎｉｃａｌ Ｃｏｍｍｉｓｓｉｏｎ（ＩＥＣ）規格６０６０３-７シリーズである。
【０００４】
送信の観点から、ジャック、ケーブル及びプラグは、チャネルの構成要素を表す。チャネル及び対応するコンポーネントの性能は、次の表に示すＩＥＣ／ＩＳＯ１１８０１規格で指定されているクラス及びカテゴリと呼ばれる。
【０００５】
【表１】
0006655183.tif 000002
【０００６】
ＲＪ４５（ＩＥＣ６０６０３-７シリーズの規格に記載）として知られている一般的な機械的コネクタ構成は、４０ＧｂＥ（イーサネット（登録商標）フレーム伝送のギガビット／秒）とオートネゴシエーションと呼ばれる機能を用いた低速装置との間の接続を可能にする。オートネゴシエーションプロセス中、両方のデバイスは、マスタースレーブ関係を想定し送信されるデータの最大速度を受ける。
【０００７】
チャネルは、イーサネット（登録商標）プロトコルをサポートできなければならず、オートネゴシエーションに影響を及ぼす可能性がある。電気ケーブルは、プラグに接続され、様々な世代のイーサネット（登録商標）機器内に配置されたジャックに差し込まれ得る。但し、古いイーサネット（登録商標）速度に合わせて設計されたチャネルでは速度が遅くなり、より高速で新しいネットワーク機器が意図された速度以下で動作してしまう。信号の劣化を起こさずに１０〜２０００ＭＨｚの広いスペクトルで動作するモジュラーコネクタは知られていない。
【０００８】
前述したように、イーサネット（登録商標）プロトコルは、信号を４つのストリームに分割し、これらのストリームは同じケーブルを介して伝送される。このように、対になったコネクタ対には、同時に動作する４つの信号ストリームも存在する。近端クロストーク（又は「ＮＥＸＴ」）と呼ばれるこれらの信号の望ましくない相互作用は、エラーのない伝送を可能にするために最小限に抑えなければならない。ＮＥＸＴを減らす最も一般的な方法は補償である。補償は、ジャックとプラグとの間の界面に生成されたＮＥＸＴから、同様の振幅で逆極性のＮＥＸＴを生成する方法である。
【０００９】
高周波での信号劣化は、いくつかの相互に依存する問題によって引き起こされる。１つの問題は、１次補償がインターフェースから離れすぎることで、ジャックプラグ嵌合コネクタ内を移動する、電磁信号の予測不可能な位相シフトを引き起こすことである。別の問題は、プラグコンタクトブレードが、高い固有の自己インダクタンス、及び非制御で隣接するコンタクト間の比較的小さいキャパシタンスを有することである。ジャックはプラグインダクタンスとキャパシタンスを補償する必要がある。従来の設計では、コンタクトの先端に補償を加える基板を備えているが、コンタクトと補償の間の電気的長さが大きすぎるため、位相と大きさの両方でプラグインダクタンスとキャパシタンスを完全にキャンセルできない。
【発明の概要】
【課題を解決するための手段】
【００１０】
本明細書で開示されるモジュラジャックコネクタの実施形態は、カテゴリ８.１コネクタを有するクラスIチャネルの一部を含み、４０ＧｂＥプロトコルをサポートする。このようなコネクタは、望ましくは、隣接するコンタクト間の１０００ＶＤＣ、及び全てのコンタクトとシールドとの間の１５００ＶＤＣに耐えるように構成されて、安全な電気絶縁をさらに保証することができる。
【００１１】
本明細書で開示されるコネクタは、性能を低下させることなく、低速装置即ち１００ＭＨｚ、及び最高速度装置即ち２０００ＭＨｚのいずれかと嵌合することができる。このようなコネクタは、望ましくは、低コストで製造が容易であり、ジャックピース部品及び内部部品の数を最小にすることが望ましい。さらに別の例示的な態様は、ジャック内で制御される送信ペアを含んで、エアギャップ又は他の絶縁による分離を保証する。
【００１２】
本明細書で開示されるネットワークインターフェースコネクタの１つの特定の実施形態では、制御されたキャパシタンス結合を有するジャックコンタクトアセンブリがジャックハウジング内に配置される。第１及び第２の細長コンタクトの組がそれぞれプラグコンタクト部分及び信号出力部を備え、各細長コンタクトそれぞれは、プラグコンタクト部分が同一平面上にあり、信号経路がプラグコンタクト部分と信号出力部との間に画定されるように構成される。フレキシブル回路基板（ＦＣＢ）は、プラグコンタクト部に近接して結合され、フレキシブル回路基板は、それによって係合された各コンタクト間の静電キャパシタンス補償を提供するように構成される。キャパシタンス補償は、プラグコンタクト部分と対応する信号出力部との間に画定された信号経路から位置ずれされるが、１次補償と接触界面との間の位相シフトは、フレキシブル回路基板結合の近接により低減される。
【００１３】
そのような実施形態の１つの望ましい態様では、位置ずれにより、補償回路の位相に対応するプラグコンタクトブレードのインダクタンスにほぼ等しい制御された量のインダクタンスが導入される。その補償インダクタンスにより本明細書に開示されたプラグコネクタは１０〜２０００ＭＨｚの非常に広いスペクトルにわたる近端クロストーク補償を提供することが可能になる。そのような実施形態における典型的なオフセット量は０．０２５４ｍｍ（０.００１″）〜０．７６２ｍｍ（０.０３０″）の範囲であり得る。
【００１４】
このような実施形態における各細長コンタクトのプラグコンタクト部分は、プラグコネクタ用の対応するコンタクトと係合するように構成された第１の側面と、フレキシブル回路基板に結合された第２の側面とをさらに備えていてもよい。
【００１５】
このような実施形態におけるフレキシブル回路基板は、その反対側に第１及び第２の銅層が塗布されたフレキシブル基板をさらに含むことができる。
【００１６】
フレキシブル回路基板のこのような実施形態における制御キャパシタンスは、ジャックコンタクトアセンブリに結合された隣接プラグコンタクト間の常駐キャパシタンスを相殺するようにさらに構成されてもよく、制御キャパシタンスの値は、フレキシブル基板の制御された誘電定数及び厚さ、さらに第１及び第２の銅層にそれぞれ関連する第１及び第２の銅板の重複領域に基づく。このような実施形態における第１の銅板は、第２の銅板よりも小さく第２の銅板に対し囲まれてもよい。
【００１７】
このような実施形態におけるフレキシブル回路基板は、さらに、第１及び第２の対向する端部の間の中間部分、及び第１及び第２の対向する端部のうちの１つ又は複数に関連する第１及び第２の銅層の重複領域で細長コンタクトに結合されてもよい。フレキシブル回路基板は中間部分から弓形形状に曲げられてもよい。
【００１８】
ネットワークインターフェースコネクタは、貫通細長コンタクトそれぞれを受ける少なくとも１つのコンタクトアライメント部材をさらに備えていてもよい。このような実施形態では、少なくとも１つのコンタクトアライメント部材はさらに、細長コンタクトの上に成形され絶縁材料で形成されてもよい。あるいは、細長コンタクトはそれぞれ、プラグコンタクトと信号出力部との間の少なくとも１つのコンタクトアライメント部材に結合されてもよい。
【００１９】
このような実施形態では、電気的に絶縁された圧縮ばねが、ジャックハウジングの内壁と少なくとも１つのコンタクトアライメント部材との間にをさらに取り付けられて、コンタクトアセンブリに垂直力を加えるように構成することができる。
【００２０】
例示的なこのような実施形態における第１の細長コンタクトの信号出力部は、第１の同一平面アレイ内にさらに保持され、第２の細長コンタクト組の信号出力部は、第１の同一平面アレイに平行な第２の同一平面アレイに保持される。
【００２１】
このような実施形態の例示的な細長コンタクトはそれぞれ、プラグコンタクト部から信号出力部の遠位に延びる引込部分コンタクト部をさらに備えてもよく、引込部分コンタクト部は、挿入プロセスの間、及び完全挿入プラグコンタクトの係合前に、対応するプラグプラグコンタクトに係合するように構成される。
【００２２】
このような例示的な実施形態におけるネットワークインターフェースコネクタは、細長コンタクトを囲み細長コンタクトを受けるように構成された埋設保護スロットを有する絶縁コンタクトガイドフレームと、コンタクトガイドフレームから延在し挿入プロセス中にプラグコンタクトと係合しそれを案内するリブと、をさらに備えてもよい。
【００２３】
このような実施形態による１次補償（すなわち、「エンジン」）を備えたジャックコンタクト組は、能動機器のプリント回路基板（ＰＣＢ）部分及びフリーハンギングジャックのケーブル終端部分の両方に取り付けることができる。
【００２４】
本明細書で開示される一実施形態による代替的なネットワークインターフェースコネクタは、信号出力部のそれぞれが結合され、２次補償を提供するように構成されたリジッドＰＣＢをさらに備えることができる。ジャックシールドは、ジャックハウジングをカプセル化し、さらに、ジャックコンタクトアセンブリに係合するとき、リジッドＰＣＢとプラグコネクタとの間に電気的接地路を提供することができる。
【図面の簡単な説明】
【００２５】
【図１】本明細書に開示される完全に組み立てられたネットワークインターフェースコネクタの等角図である。
【図２】図１のネットワークインターフェースコネクタの分解図である。
【図３】本明細書で開示されるコネクタの第１の実施形態によるジャックコンタクト組及びガイドフレームの等角図である。
【図４】図３のジャックコンタクト組の等角図である。
【図５】図３のジャックコンタクト組の側面図である。
【図６】図３のジャックコンタクト組の逆等角図であり、フレキシブル回路基板の分解図である。
【図７】図３のフレキシブル回路基板のうちの１つの正面図である。
【図８】図７のフレキシブル回路基板の分解図である。
【図９】図３のジャックコンタクト組からの第１（上部）コンタクトアレイの等角図である。
【図１０】図３のジャックコンタクト組からの第２（下部）コンタクトアレイの等角図である。
【図１１】本明細書で開示されるコネクタの第２の実施形態によるジャックコンタクト組及びガイドフレームの等角図である。
【図１２】図１１のジャックコンタクト組の等角図である。
【図１３】図１１のガイドフレームの等角図である。
【図１４】図１１のジャックコンタクト組の逆等角図である。
【図１５】図１１のガイドフレームの逆等角図である。
【図１６】図１１のジャックコンタクト組の詳細図である。
【図１７】本明細書で開示されるコネクタの第３の実施形態によるジャックコンタクト組及びガイドフレームの等角図である。
【図１８】図１７のジャックコンタクト組の等角図である。
【図１９】図１７のガイドフレームの等角図である。
【図２０】図１７のジャックコンタクト組の逆等角図である。
【図２１】本明細書で開示されるコネクタの第４の実施形態によるジャックコンタクト組の等角図である。
【図２２】図２１のジャックコンタクト組の側面図である。
【図２３】本明細書で開示されるコネクタの第５の実施形態によるジャックコンタクト組の等角図である。
【図２４】図２３のジャックコンタクト組の側面図である。
【図２５】本明細書で開示されるコネクタの第６の実施形態によるジャックコンタクト組の等角図である。
【図２６】図２５のジャックコンタクト組の側面図である。
【図２７】本明細書で開示されるコネクタの第７の実施形態によるジャックコンタクト組の等角図である。
【図２８】図２７のジャックコンタクト組の側面図である。
【図２９】本明細書に開示されるコネクタの第８の実施形態によるジャックコンタクト組の等角図である。
【図３０】図２９のジャックコンタクト組の側面図である。
【図３１】図２９のジャックコンタクト組のフレキシブル回路基板の詳細図である。
【発明を実施するための形態】
【００２６】
図１〜図３１を参照して、本発明の様々な例示的な実施形態をここで詳細に説明することができる。様々な図面が、様々な共通の要素及び特徴を他の実施形態と共有する実施形態を説明することができる場合、同様の要素及び特徴は同じ参照番号を与えられ、それらの重複する説明はその後省略され得る。図面自体は、説明の目的のためにのみ意図されており、特に明記しない限り、本明細書に開示された発明の範囲を限定するものではない。
【００２７】
一般に述べたように、本明細書に開示されているモジュラジャック設計の実施形態は、機械的な詳細、サイズ及び形状において、業界標準のＲＪ４５プラグに対応する。１次補償がコネクタインターフェースのすぐ近くにあるので、位相シフトと対応する信号劣化は最小限に抑えられる。
【００２８】
１次補償が利用される３つの領域があり、ジャックコンタクトブランチに取り付けられたフレキシブル回路基板内の補償、コンタクト組内のコンタクトの相互位置（ここではコンタクトクロスオーバー領域とも呼ばれる）、及びコンタクトが取り付けられるリジッドプリント回路基板（ＰＣＢ）（本明細書では２次補償基板とも呼ばれる）である。クロストーク補償回路の各々は、約１０ＭＨｚから約２０００ＭＨｚまでの潜在的なジャックアプリケーションの完全なスペクトルに対応する。
【００２９】
図１及び図２を参照すると、本明細書に開示されるネットワークインターフェースコネクタ１００の様々な実施形態は、一般に絶縁ガイドフレーム１０２によって取り囲まれたコンタクトアセンブリ１０１を含むことができる。コンタクト組１０１及びガイドフレームは、さらに、ジャックハウジング１０４内に取り付けられる。ジャックハウジング１０４が、プラグとの係合のためにコンタクト組１０１を適切な向きに保持する。ラッチ機能をハウジング１０４内に設けることができ、工具を使用することなく手でプラグをジャックに容易に取り付けることができる。ハウジングは又、コンタクト組１０１が取り付けられるリジッドＰＣＢ１０３にジャックを配置するポスト機能を有してもよい。このＰＣＢ１０３は、能動機器又は伝送ケーブルのいずれかにコンタクト組を接続するための回路経路を提供する。このＰＣＢ１０３には、システムが性能要件を満たすために必要とされる２次補償が組み込まれている。
【００３０】
より多くの接触垂直力が望まれる特定の実施形態では、補助ばね１０５が設けられてもよい。補助ばね１０５は、電気的性能を低下させることなく接触力を加えることができるように、ジャックコンタクト部１０１から隔離（絶縁）されてもよい。補助ばね１０５は、ハウジング内壁と１つ以上のオーバーモールドされたコンタクトキャリア（以下にさらに説明する）との間でハウジング１０４内に取り付けられる板ばねであってもよい。このばね１０５は、圧縮状態で作用し、内側後壁に当たって、コンタクト組１０１に予め負荷された力を加える。プラグが挿入されると、コンタクト組１０１は偏向され、同時に補助ばね１０５が偏向する。ジャックシステムの力は、コンタクト組を構成するすべてのコンタクトと補助ばねによって供給される力の和からなる。
【００３１】
様々な実施形態において、ジャックシールド１０６は、プラグと２次補償ＰＣＢ１０３との間に電気接地経路をさらに提供する。この接地経路は、ジャックを囲み、外部干渉（ＥＭＩ、ＥＳＤなど）から内部に含まれる電気信号を保護する。シールド上のばね状のパネルグランド機能は、導電性の取り付けパネル又は導電性シールドボックス（ファラデーケージ）に接続することによって、接地経路を拡張する。
【００３２】
さらに図３〜１０を参照すると、ジャックコネクタ２００の第１の例示的な実施形態が説明される。システムの電気的性能の向上に寄与するコンタクト組２０１の特徴及び構成要素は、ショートジャックコンタクト２０７、ショート相互接続ブランチ２０８、第１及び第２のフレキシブル回路基板（ＦＣＢ）２０９、引込部分コンタクト延長部２１０、コンタクトクロスオーバー領域２１１、及びオーバモールドされたコンタクトアライメント部材２１２である。コンタクト組２０１は、ジャックハウジング１０４内に収容され、プラグの２次補償及びジャックの出力への相互接続の１次補償を提供する。
【００３３】
ジャックコンタクト２０７の電気的長さは、改良された電気的性能のため、好ましくは最小限に保たれる。これらのコンタクト２０７は、プラグインターフェースを１次補償及び２次補償に相互接続する。短絡コンタクトは典型的には最良の機械的性能には向いておらず、したがって、開示された設計のコンタクト２０７は良好な接触力を提供して、プラグ―ジャックインターフェースにおいて安定した信頼性の高い電気接触を維持する。短絡コンタクトも又、典型的にはリジッドがあり、容易に過大な応力を受ける。したがって、本開示のコンタクト２０７は、過度の応力及び永久変形（降伏）を防止するために、薄くフレキシブルであるように設計されてもよい。
【００３４】
ジャックコンタクト２０７には、はんだ付け、溶接又は他の方法でＦＣＢ２０９が取り付けられる短いブランチ２０８がある。これらのブランチ２０８は、インターフェースポイントからリジッドＰＣＢ１０３への信号経路に対する１次補償の位置ずれを保持しながら、できるだけ短い電気長でジャック接触インターフェースポイントに１次補償を接続する。ブランチ２０８は、プラグ仕様の部分のプラスチック障壁に跨り、ジャックコンタクト２０７の一体部分であってもよく、この目的のために追加の部品を必要としない。一例として、ブランチ２０８は、打ち出しされて、同じ本来のベース材料片から形成されてもよい。あるいは、それらは、溶接、はんだ付け、接着などを介して、別々に、機械的に及び電気的に接続されて形成されてもよい。
【００３５】
１次補償は、一対のＦＣＢ２０９によって第１の実施形態のジャックコネクタに供給される。ＦＣＢ２０９の柔軟性により、プラグコンタクト２０７の高さの変動が許容される一方で、プラグとジャックコンタクトとの間の一貫した信頼性のあるコンタクトを保持する。これらのＦＣＢ２０９は、制御されたキャパシタンスを有するすべての他のコンタクト位置を接続する回路を含む。例えば、１つのＦＣＢ２０９は、奇数コンタクト（例えば、典型的な８コンタクト組の１、３、５及び７）にキャパシタンスを供給することができ、他方は偶数コンタクト（例えば、２、４、６、８）に補償を供給することができる。ＦＣＢ２０９内の制御されたキャパシタンスは、隣接するプラグコンタクト間のプラグの常駐キャパシタンスを相殺する。
【００３６】
本実施形態では、２つのＦＣＢ２０９を使用することにより、各ＦＣＢ２０９の設計を単純化することができ、これによりＦＣＢ２０９の製造がより簡単で低コストになり、補償回路へのより直接的な接続が得られ、隣接するコンタクトと補償回路の電気的長さに跨るに必要な回路経路における渦巻（convolutions）を低減できる。補償回路の長さを短くすると位相がよりよく一致し、プラグの常駐キャパシタンスをキャンセルするのに必要な補償の大きさが削減される。個々のＦＣＢ２０９の電気的長さはより短いが、接続点（１つおきのコンタクト）間の機械的距離は、各コンタクトに接続する１つのＦＣＢ２０９の２倍である。距離が長い分、より大きな柔軟性を与え、プラグ嵌合中に生じる機械的応力が大幅に低減する。各ＦＣＢ２０９は４つのコンタクトにのみ取り付けられているので、８つのコンタクトすべてを接続する単一のＦＣＢ２０９に対して、コンタクトをより独立して動かすことができる。
【００３７】
本実施形態では、１つのフレキシブル回路基板が接触位置６―８、６―４、及び６―２間に静電キャパシタンスを適用する（位置６がすべてに共通であることに注目されたい）。もう１つのフレキシブル回路基板は、接触位置３―７、３―５、及び３―１間に静電キャパシタンスを適用する（位置３はすべてに共通である）。コネクタシステムの対称性により、奇数コンタクトに使用されるフレキシブル回路基板の同じ静電キャパシタンス値が偶数コンタクト位置（３―１間＝６―８間、３―５間＝６―２間、３―７間＝６―２間の静電キャパシタンス値）に対し適用される。したがって、この対称性により、同一のフレキシブル回路基板を、奇数コンタクト及び偶数コンタクトの両方に、その向きを単に反転させることによって使用することが可能になる。
【００３８】
本実施形態の二重ＦＣＢ２０９の設計の詳細が図８に示されており、それらは、本明細書でさらに説明される複数の層の構成要素から構成される。フレキシブル基板２２０は、制御された誘電率及び厚さを有する絶縁ポリマーから構成されてもよい。この材料は、上にＦＣＢ２０９が構築されるベース基板を提供する。この材料２２０に、上下の銅層２２１、２２２が塗布され結合されてそれらの配置を制御し、ソルダーレジスト２２５が銅層２２１、２２２上に塗布される。
【００３９】
上下の銅層２２１、２２２は、基板２２０の対向する側に積層されて接合され、所望の電気的特性を提供するように構成された導電層である。接着は、使用中及び外部の曲げ力を受ける間の位置及び形状を維持する。図示した例では、共通のキャパシタパッド（位置６は偶数コンタクトに共通であり、位置３は奇数コンタクトに共通）は下部銅層２２２上に位置する。下部銅層２２２上のキャパシタパッドのサイズは上部銅層２２１上のパッドのサイズよりも大きい。
【００４０】
上部及び下部銅層２２１、２２２の重複部分２２３は、誘電材料（フレキシブル基板層２２０）によって分離されたときに３つのキャパシタンス値を生成する。これら３つの領域は、平行平板コンデンサと呼ばれるものを形成する。平行平板コンデンサの値は、重複領域２２３、銅板間の距離、及びこれらの板を分離する材料の誘電率の関数である。このＦＣＢ２０９において、上部銅層２２１上に位置するコンデンサプレートの面積は、下部銅層２２２上のプレート面積よりも小さい。キャパシタンスは、プレートの重複部分の面積によって制御されるので、プレートはキャパシタンス値を指示する。下部プレートは、上部銅層２２１上のプレートよりも大きく、銅層間のレジストレーションずれ（registration mismatch）を許容する。より小さいプレートがより大きなプレートの輪郭内にある限り、コンデンサプレートの有効面積は維持され、したがって、キャパシタンス値は一定である。
【００４１】
ＦＣＢ２０９のスルーホールを囲むのは、銅はんだパッド２２６である。これらのパッド２２６は、コンタクトがＦＣＢ２０９にはんだ付けされたときに、はんだが付着する面を提供する。パッド２２６は、上部及び下部銅層上に存して良好な接続を確実にする。両面にはんだパッド２２６を有することにより、ＦＣＢ２０９への電気的及び機械的接続の両方が提供される。
【００４２】
ソルダレジスト２２５は、その名称が示すように、はんだが意図しない表面に付着することを防止する。ソルダーレジスト２２５は、銅層２２１、２２２及び基板２２０の一部を覆う非導電性材料の積層体で構成することができる。これらのソルダーレジスト材料は、露出した銅が外部導電性材料に接触し、潜在的に短絡はんだ接続が望まれる領域（例えば、はんだパッド）では、ソルダーレジスト材料は適用されない。又、ソルダーレジストは、高電圧アークによって異なる電位の銅表面間のギャップが形成されたりギャップをジャンプされるのを防止する。
【００４３】
コンタクト境界点、即ちコンタクトブランチ２０８及び関連するＦＣＢ２０９の外側は、ジャックコンタクト２０７の引込部分２１０である。これらの引込部分２１０は、プラグが挿入され且つ完全挿入の前にプラグに係合する。これらの引込部分２１０は、ジャックコンタクト２０７をプラグコンタクト上に誘導し、拘束、座屈又は誤嵌合を防止する。引込部分２１０は細く、コンタクト対コンタクトの電気的結合を減少させコンタクトを可能な限り短く保つ。ブランチ２０８と同様に、これらの引込部分はジャックコンタクト２０７と一体的な部品であってもよく、これにより追加の部品が不要となる。
【００４４】
ジャックコンタクト２０７のテール（信号出力部）２１３は、クロスオーバ領域２１１において２つの平面に分離されている。この領域においても、コンタクト２０７は互いに対になっており、ペア間の結合を制御する。ジャックコンタクト２０７の位置を維持するのは、２つの成形されたプラスチック絶縁アライメント部材又はキャリア２１２である。これらのキャリア２１２は、コンタクトをクロスオーバ領域２１１に適切に整列させ、この領域における電気的結合を安定に保つ。これらのキャリア２１２が無ければ、コンタクト２０７は、プラグが嵌合中に挿入されるのとは異なる速度で撓む可能性がある。コンタクトキャリア２１２は、コンタクトを一緒に移動させ平行に動かす。拘束されていない場合、撓みの変化する割合により、クロスオーバが互いに対して相対的に移動しペア間の結合の変化を変える虞がある。この変化によって補償が非常に困難になる。コンタクトを固体絶縁材料と連結することで、コンタクトが電気的に独立したままで機械的に互いに支持される。コンタクトは、１つだけのコンタクトよりも機械的に高い接触力を維持しながら、１つのユニットのように撓むことができる。このように、コンタクトが又一緒に縛られストレスを共有することができるので、単一のコンタクトにおける過度のストレスから保護される。図示のように、各ジャックコンタクト２０７は、第１のキャリアから第１の方向に延びるプラグコンタクト部と、第２のキャリアから反対方向に延びる信号出力部２１３とを含み、信号出力部２１３は２次補償を提供するリジッドＰＣＢ１０３に接続されるために纏まって配列されている。
【００４５】
コンタクト組２０１を囲むのは絶縁フレーム２０２である。このフレームのスロットは、コンタクト引込部分２１０の先端を位置付ける。これらのスロットは、異物又はジャック内に無理やり押し込まれる不完全差込みからコンタクトを保護する。フレーム上の小さなリブは、プラグインターフェースと係合しプラグを適切な位置に導く。
【００４６】
ジャックインターフェースコネクタ３００の第２の実施形態を、図１１〜図１６を参照して説明する。第２の実施形態は、第１の実施形態に示されている多くの特徴を組み込んでおり、主にコンタクトアセンブリ３０１とコンタクトガイドフレーム３０２とで異なる。補償ＦＣＢ３０９は、サイドブランチでなく、コンタクトの相互接続引込部分チップ３０８に取り付けられている。
【００４７】
一例では、ジャックコンタクト３０７は、短い湾曲部分３０８で延長されてその端部３１４にＦＣＢ３０９を取り付けさせる。ＦＣＢ３０９は、はんだ付け、溶接、又は他の方法で接合することによって、電気的及び機械的に取り付けられる。コンタクト部分３０８は、１次補償をジャック接触界面点に接続する。これらのブランチ３０８は、プラグ仕様の一部であるプラスチックの障壁に跨っていなければならない。コンタクト３０７と引込部分３０８との間の曲がり遷移は、突然の表面変化によって引き起こされる可能性のある拘束、座屈又は誤嵌合を起こすことなくプラグコンタクトの嵌合を最も促進するために、好ましくは緩やかにしてよい。これらの引込チップ３０８は、ジャックコンタクト３０７に対して一体的な部品であってもよく、この目的に役立つ部品を追加する必要が無くなる。チップ３０８は、例えば、打ち抜かれて、天然の基材の同じ部分から形成されてもよい。引込部分３０８の長さ及び遷移は接触界面と１次補償との間にあるので、電気長を短く保って、位相不整合及び／又は過剰な補償キャパシタンスを低減する必要がある。
【００４８】
第１の実施形態と同様に、第２の実施形態によるコンタクト組３０１は、絶縁フレーム３０２によって取り囲まれている。このフレーム３０２のスロットは、同様にコンタクト引込部分３０８の先端を位置決めし、コンタクト３０１を異物やジャックに無理やり押し込まれる可能性のある不完全差込みから保護する。しかしながら、スロット３０２は、好ましくは、より短い接触引込部分チップをより良好に制御して保護するために、第１の実施形態に関して説明したものよりもきつくてよい。
【００４９】
ジャックインターフェースコネクタ４００の第３の実施形態を、図１７−２０を参照して説明する。第３の実施形態は、第２の実施形態とほとんど同様であり、主にコンタクトアセンブリ４０１及びコンタクトガイドフレーム４０２に関し、外側コンタクト４１５（例えば、位置１及び８）は、内側コンタクト４０７（例えば、位置２〜７）よりも長い点で異なる。この余分の長さにより、これらの２つの外側コンタクト４１５が先に嵌合プラグに係合し、プラグとジャックコンタクトの嵌合を案内するように作用する。プラグが外側コンタクト４１５と係合すると、プラグはより短い内側コンタクト４０７の位置及び係合に導かれる。位置１と８の電気的性能は電気的長さの変化に対して内側位置より敏感ではないので、コネクタシステム全体の電気的性能に悪影響を与えることは無い。
【００５０】
第２の実施形態と同様に、コンタクト相互接続引込部分チップ４１６が、外側コンタクト４１５及び内側コンタクト４０７の端部に設けられている。位置１及び８に長いガイドコンタクト４１５を収容するために、ＦＣＢ４０９がそれに応じて修正される。コンタクトの電気的長さと同様に、位置１と位置８の追加のトレース長さは、コネクタシステムの全体的な電気的性能に大きな影響を与えない。接触ガイドフレーム４０２は又、第２の実施形態から変更されており、接触長さの違いに対応してガイドフレーム４０２のスロット長さが変わる。
【００５１】
ジャックインターフェースコネクタ５００の第４の実施形態を、図２１〜図２２を参照して説明する。第４の実施形態は第１の実施形態とほとんど同様で、主にコンタクトアセンブリ５０１の相互接続ブランチ５０８で異なる。より詳細には、これらのブランチ５０８は、ジャックコンタクト５０７の一体部分であるだけでなくこの目的を果たすために部品を追加する必要がないが、ショートジャックコンタクト５０７の中央部分５１８からせん断され、同じ基本素材片から形成される。
【００５２】
ジャックインターフェースコネクタ６００の第５の実施形態を、図２３〜図２４を参照して説明する。第５の実施形態は、ほとんどの点で第１の実施形態とほぼ同様であるが、主にコンタクトアセンブリ６０１で異なる。さらに具体的には、コンタクトアセンブリ６０１が、プラグコンタクトと接続するように配置された一連のコンタクト６０７ａだけでなく、第２の平行な一連のコンタクト６０７ｂも含む。１次コンタクト６０７ａは、上述したように、短く薄くフレキシブルであることが好ましいので、一組の２次コンタクト６０７ｂが追加されて付加的な接触力と信頼性を提供する。これは、先に説明したように補助ばねの必要性を無くし、第１の実施形態で説明した相互接続ブランチがさらに必要無くなる。ブランチを取り除くことによって、主要コンタクトの製造の複雑さを低減することができる。
【００５３】
２次ジャックコンタクト６０７ｂの先端には、ＦＣＢ６０９の取り付けを提供するように延長された短い湾曲部分６０８がある。ＦＣＢ６０９は、はんだ付け、溶接又は他の方法で電気的及び機械的に取り付けられる。２次コンタクト６０７ｂの先端は、１次コンタクト６０７ａと物理的に接触しており、１次補償とジャック接触界面点との間の電気的接続を短くする。これらの先端は、プラグ仕様の一部であるプラスチック製の障壁を跨ぐ必要がある。２次コンタクト６０７ｂの屈曲遷移は、最早プラグと直接的に物理的に接触しないので段階的である必要はない。１次コンタクト部６０７ａは、急激な表面変化によって引き起こされる可能性がある非結合や、座屈、誤嵌合をすることなく滑らかで直線的な界面を提供する。
【００５４】
２次補償ＰＣＢ１０３に挿入されるコンタクトの部分６１３は、前述のように特別に形成されている。第１のコンタクト６０７ａと第２のコンタクト６０７ｂとは反対方向に曲げられているので、それらは弾性的な相互接続ピンを形成する。屈曲部分の間の距離は、リジッドＰＣＢ１０３内の受入孔のサイズよりも大きい。これらのピンは、ジャックが組み立てられたときに小孔に押し込まれる。孔の側部の半径方向の力は、第１のコンタクト６０７ａと第２のコンタクト６０７ｂとに実質的な反作用力を与える。この力は、安定した相互接続を維持し、はんだ接合の必要性を無くし、それにより関連する製造作業を排除し、コストを低減する。
【００５５】
ジャックインターフェースコネクタ７００の第６の実施形態を、図２５〜図２６を参照して説明する。第６の実施形態は、第１の実施形態とほとんど同じであり、主に、前の形態で排除され引込７１０と短いジャックコンタクト７０７との間の遷移部７０８に組み込まれている相互接続ブランチで異なる。
【００５６】
ジャックコンタクトインターフェースと１次補償ＦＣＢ７０９との間の打ち出しされた接触アレイの部分は、できるだけ短くなければならず、本明細書ではショートジャック接触／接触引込部分遷移領域７０８と呼ぶことができる。この遷移領域７０８は、負コンタクト７０７の短い直角ジョグによって達成される。これらは、ジャックコンタクト７０７の一体部分であり、したがって、この目的を果たす部品を追加する必要が無い。このジョグも、プラグ仕様の一部であるプラスチック製の障壁に跨り、短い直接電気経路を提供する必要がある。ジョグの片側には、ＦＣＢ７０９がはんだ付け、溶接、又は他の方法で接着される平坦な面があり、当該技術分野で知られている「表面実装」プロセスによって実行される。
【００５７】
第７の実施形態のジャックインターフェースコネクタ８００を、図２７〜図２８を参照して説明する。第７の実施形態は、第１の実施形態とほとんど同様であり、主に、相互接続ブランチ及び引込領域の機能を実行する別個のコンタクトチップ８１０がある点で異なる。
【００５８】
コンタクトチップ８１０は、ショートジャックコンタクト８０７の端部に適用された別個の短い湾曲構造であり、嵌合動作中、プラグのプラスチックバリア壁を介してプラグを定位置に案内する。接触点と引込部分との間の曲がり遷移は、突然の表面変化によって引き起こされる可能性がある拘束や座屈、誤嵌合が無くプラグコンタクトの嵌合を最も促進するために、好ましくは緩やかでよい。各引込チップ８１０は、一体的な部分としての短い相互接続ブランチ８０８を含み、この目的に役立つ構成要素を追加する必要が無い。先端部８１０は、隣接する先端部間のキャパシタンス性結合が最小限の可能な値に留まるように切断される。
【００５９】
対応するコンタクト相互接続引込部分チップ８１０の８つの短い相互接続ブランチ８０８の各々は、ＦＣＢ８０９のフィンガを通過し、従って、８つのチップ８１０、２つのＦＣＢ８０９、及び８つのショートジャックコンタクト８０７を最小限の結合ジョイントで相互に接続する。これらのブランチ８０８は、できるだけ短い電気長で１次補償をジャック接触点に接続する。これらのブランチ８０８は、好ましくは、プラグ仕様の一部であるプラスチック障壁を跨いでおり、ジャックコンタクト８０７の一体部分を構成することができ、この目的に役立つ部品を追加する必要が無い。例えば、ブランチ８０８は、コンタクト相互接続引込部分チップ８１０の中央部分からせん断され、同じ本来のベース材料から形成されてもよい。
【００６０】
第８の実施形態のジャックインターフェースコネクタ９００を、図２９〜図３１を参照して説明する。この第８の実施形態は、１つのＦＣＢ９０９が、中央部でコンタクトアセンブリ９０１の各コンタクト９０７のそれぞれの内側部分に電気的及び物理的に結合されている点で先の実施形態と異なる。平行キャパシタプレート９２３が、単一のＦＣＢ９０９に設けられ、中央部分に対して対向する端部に重なり合う領域を有する。ＦＣＢ９０９は、さらに、両端部の中間部から弓形形状に屈曲されている点で先の実施形態とは異なる。
【００６１】
ＦＣＢ９０９の１次補償キャパシタンスは、前述した他の実施形態と同様に、プラグインターフェースのすぐ近くにあるが、信号経路の外側で保持され、コンタクト９０７のプラグインターフェース（外側）部分及びインターフェース部分９１３によって２次補償ＰＣＢ１０３で画定される。換言すれば、プラグから供給された信号は、端部９１３を通ってリジッドＰＣＢ１０３にジャックコンタクト９０７を経由して伝達されるが、ＦＣＢ９０９はプラグインターフェースに近接して接続されて特に信号経路から位置ずれされるのでそこをを通過しない。位置ずれの１つの望ましい態様は、対応するプラグコンタクトブレードのインダクタンスにほぼ等しい補償回路の位相に、制御された量のインダクタンスを導入することである。その補償インダクタンスにより、本明細書に開示されたプラグコネクタは、１０〜２０００ＭＨｚの非常に広いスペクトルにわたる近端クロストーク補償を提供することが可能になる。そのような実施形態における典型的な位置ずれ量は、０．０２５４ｍｍ（０.００１″）〜０．７６２ｍｍ（０.０３０″）の範囲であり得る。
【００６２】
本明細書及び特許請求の範囲を通して、以下の用語は、文脈上他のことが指示されない限り、少なくとも本明細書に明示的に関連する意味を取る。以下に示す意味は用語を限定するものではなく、用語の説明のための例を提供するだけである。
【００６３】
「a」、「an」及び「the」の意味は、複数の参照を含むことができ、「in」の意味は「in」及び「on」を含むことができる。必ずしも同一の実施形態を指しているとは限らない。「結合された」という用語は、接続されたアイテム間の直接的な電気的接続、又は１つ又は複数の受動的又は能動的な中間デバイスを介する間接的な接続の少なくともいずれかを意味する。特に言及しない限り、又は使用されている文脈の中で他の意味で理解されない限り、本明細書で使用される条件言語は、とりわけ、「can」、「might」、「may」などは、他の実施形態は特定の特徴、要素及び／又は状態を含まないことを理解されたい。したがって、そのような条件付き言語は、特徴、要素、及び／又は状態が１つ又は複数の実施形態に何らかの形で必要であることを暗示することを一般に意図するものではなく、１つ又は複数の実施形態は、これらの特徴、要素及び／又は状態は、任意の特定の実施形態に含まれるか、又は実施されることになる。
【００６４】
前の詳細な説明は、例示及び説明のために提供されたものである。従って、新規かつ有用な発明の特定の実施形態について説明したが、そのような参照は、以下の特許請求の範囲に記載されたものを除いて、本発明の範囲に対する限定として解釈されるものではない。
【図１】
0006655183.tif 000003
【図２】
0006655183.tif 000004
【図３】
0006655183.tif 000005
【図４】
0006655183.tif 000006
【図５】
0006655183.tif 000007
【図６】
0006655183.tif 000008
【図７】
0006655183.tif 000009
【図８】
0006655183.tif 000010
【図９】
0006655183.tif 000011
【図１０】
0006655183.tif 000012
【図１１】
0006655183.tif 000013
【図１２】
0006655183.tif 000014
【図１３】
0006655183.tif 000015
【図１４】
0006655183.tif 000016
【図１５】
0006655183.tif 000017
【図１６】
0006655183.tif 000018
【図１７】
0006655183.tif 000019
【図１８】
0006655183.tif 000020
【図１９】
0006655183.tif 000021
【図２０】
0006655183.tif 000022
【図２１】
0006655183.tif 000023
【図２２】
0006655183.tif 000024
【図２３】
0006655183.tif 000025
【図２４】
0006655183.tif 000026
【図２５】
0006655183.tif 000027
【図２６】
0006655183.tif 000028
【図２７】
0006655183.tif 000029
【図２８】
0006655183.tif 000030
【図２９】
0006655183.tif 000031
【図３０】
0006655183.tif 000032
【図３１】
0006655183.tif 000033